(57)【要約】【課題】従来の同期再生方法においては、携帯電話などの通信端末特有の問題に関して、コンテンツ配信中の通話処理への対応が考慮されていないという問題があった。【解決手段】本発明のコンテンツ配信側の通信端末(100)は、移動体通信網に接続されている基地局と移動体無線通信により通信を行う第１通信部(1)と、他端末と近距離無線通信により通信を行う第２通信部(2)と、再生視聴可能なデータを再生し、自端末で再生中の前記データを前記第２通信部により前記他端末に配信するように制御している際に、前記第１通信部への着呼に応じた通話を行う場合、自端末における前記データの再生を停止すると共に、該データ再生の停止に依存することなく、前記第２通信部により前記他端末への前記データの配信を継続するように制御する制御部(50)と、を備えることを特徴とする。【選択図】図１
2010109620.tif 000002
【特許請求の範囲】
【請求項１】
移動体通信網に接続されている基地局と移動体無線通信により通信を行う第１通信部と、
他端末と近距離無線通信により通信を行う第２通信部と、
再生視聴可能なデータを再生し、自端末で再生中の前記データを前記第２通信部により前記他端末に配信するように制御している際に、前記第１通信部への着呼に応じた通話を行う場合、自端末における前記データの再生を停止すると共に、該データ再生の停止に依存することなく、前記第２通信部により前記他端末への前記データの配信を継続するように制御する制御部と、
を備える通信端末。
【請求項２】
前記制御部は、前記データの配信先の前記他端末から該他端末が通話状態であることを示す通話状態信号を前記第２通信部により受信した場合、前記他端末への前記データの配信を停止するように制御する、請求項１に記載の通信端末。
【請求項３】
前記制御部は、前記通話状態信号により、前記他端末における前記データの再生時間を示す他端末再生時間を取得し、前記他端末から該他端末の通話終了を示す通話終了信号を前記第２通信部により受信した場合、前記他端末に対し、前記他端末再生時間に基づき前記データの配信を再開するように制御する、請求項２に記載の通信端末。
【請求項４】
前記制御部は、前記第１通信部への着呼に応じた前記通話により自端末における前記データの再生を停止する場合、自端末における前記データの再生時間を示す自端末再生時間を記憶し、前記通話終了時に、前記自端末再生時間に基づき前記データの再生を再開すると共に、前記自端末再生時間に基づき前記データを前記第２通信部により前記他端末に配信するように制御する、請求項２又は３に記載の通信端末。
【請求項５】
移動体通信網に接続されている基地局と移動体無線通信により通信を行う第１通信部と、
他端末と近距離無線通信により通信を行う第２通信部と、
前記第２通信部により受信した前記他端末から配信される再生視聴可能なデータの再生を行っている際に、前記第１通信部への着呼に応じた通話を行う場合、前記第２通信部により、前記他端末に対し、前記データの配信を停止させる通話状態信号を送信するように制御する制御部と、を備える通信端末。
【請求項６】
前記制御部は、前記通話状態信号に、自端末における前記データの再生時間の情報を含める、請求項５記載の通信端末。
【発明の詳細な説明】
【技術分野】
【０００１】
この発明は、近距離無線通信機能を備える通信端末に関する。
【背景技術】
【０００２】
音楽や映像といったマルチメディアコンテンツの再生機能を備える携帯型の通信端末（例えば、携帯電話、ＰＤＡなど）が増えている。通常、このような通信端末は、図９のようにユーザが個人的にコンテンツを視聴するものであるため、二人のユーザが同じコンテンツ（例えば、音楽、映像など）を楽しむためには、例えば、図１０のように、１つの通信端末につながるイヤホンを片耳ずつ二人で共有する必要がある。図１０の場合、通信端末の小型画面を二人のユーザが共有することは難しく、さらに、各ユーザが音響（音楽／音声）のステレオ効果を享受することができない。
【０００３】
近年、通信端末の機能向上に伴い、通信端末は、自身が保持していないコンテンツであっても、IEEE(Institute of Electrical and Electronics Engineers)802.11関連規格やブルートゥース（登録商標）等の近距離無線通信機能を用いて、他の携帯端末からコンテンツを受信して再生することもできる（図１１）。このように、ある通信端末が保持するコンテンツを、近距離無線通信機能によって他の通信端末に配信することにより、複数のユーザが、各自の通信端末で同じコンテンツを楽しむことが可能になる。
【０００４】
複数の通信端末間で上記のようなコンテンツの共有（コンテンツシェアリング）を行う場合、各通信端末におけるコンテンツの再生タイミングが同期していることが望ましい。かかる同期再生によって、例えば、各ユーザは同じタイミングで同じ音楽や映像を楽しむことができるため、ユーザ同士の一体感及び映像から受ける臨場感の向上が期待されるためである。各通信端末においてコンテンツを同期再生するためには、共有コンテンツの再生順序や、再生タイミングを各通信端末間で調整する必要がある。
【０００５】
このような共有コンテンツの同期再生技術として、例えば、ＰＤＡなどのコントローラ端末と、携帯電話やデジタルカメラなどの複数のプレーヤー端末との間で、各端末（コントローラ／プレーヤー）が個々に有するコンテンツデータを共有し、コントローラ端末が生成した再生データ順リストに従い当該コンテンツデータをコントローラ端末及び複数のプレーヤー端末で同時再生させるようにした、同期再生方法が提案されている（例えば、特許文献１）。
【特許文献１】特開２００７−１３７０４号公報
【発明の開示】
【発明が解決しようとする課題】
【０００６】
ところが、上述の同期再生方法においては、携帯電話などの通信端末特有の問題に関して、コンテンツ配信中に配信側／受信側の通信端末に着信があった場合や、配信側／受信側で通話が終了した場合など、通話処理への対応が考慮されていないという問題があった。
【０００７】
特に、再生中のデータ（コンテンツ）をストリーミング転送することにより端末間で同期を取ってデータ再生を行うシェアリングにおいて、ストリーミング転送している配信側端末に着信があった場合、転送側端末が着信のためにシェアリングを行っていたデータの再生を停止するとストリーミング転送が停止し、受信側端末はシェアリングを行っていたデータを引き続き再生することができなかった。
【課題を解決するための手段】
【０００８】
上述した諸課題を解決すべく、本発明のコンテンツ配信側の通信端末は、
移動体通信網に接続されている基地局と移動体無線通信により通信を行う第１通信部と、
他端末と近距離無線通信により通信を行う第２通信部と、
再生視聴可能なデータを再生し、自端末で再生中の前記データを前記第２通信部により前記他端末に配信するように制御している際に、前記第１通信部への着呼に応じた通話を行う場合、自端末における前記データの再生を停止すると共に、該データ再生の停止に依存することなく、前記第２通信部により前記他端末への前記データの配信を継続するように制御する制御部と、
を備えることを特徴とする。
【０００９】
また、前記制御部は、前記データの配信先の前記他端末から該他端末が通話状態であることを示す通話状態信号を前記第２通信部により受信した場合、前記他端末への前記データの配信を停止するように制御することが望ましい。
【００１０】
また、前記制御部は、前記通話状態信号により、前記他端末における前記データの再生時間を示す他端末再生時間を取得し、前記他端末から該他端末の通話終了を示す通話終了信号を前記第２通信部により受信した場合、前記他端末に対し、前記他端末再生時間に基づき前記データの配信を再開するように制御することが望ましい。
【００１１】
また、前記制御部は、前記第１通信部への着呼に応じた前記通話により自端末における前記データの再生を停止する場合、自端末における前記データの再生時間を示す自端末再生時間を記憶し、前記通話終了時に、前記自端末再生時間に基づき前記データの再生を再開すると共に、前記自端末再生時間に基づき前記データを前記第２通信部により前記他端末に配信するように制御することが望ましい。
【００１２】
さらに、上述した諸課題を解決すべく、本発明のコンテンツ受信側の通信端末は、
移動体通信網に接続されている基地局と移動体無線通信により通信を行う第１通信部と、
他端末と近距離無線通信により通信を行う第２通信部と、
前記第２通信部により受信した前記他端末から配信される再生視聴可能なデータの再生を行っている際に、前記第１通信部への着呼に応じた通話を行う場合、前記第２通信部により、前記他端末に対し、前記データの配信を停止させる通話状態信号を送信するように制御する制御部と、
を備えることを特徴とする。
【００１３】
また、前記制御部は、前記通話状態信号に、自端末における前記データの再生時間の情報を含めることが望ましい。
【発明の効果】
【００１４】
本発明によれば、再生中のデータ（コンテンツ）を配信（ストリーミング転送）する配信側通信端末に着信があったとしても、配信側通信端末はストリーミング転送を続けることができ、受信側通信端末はシェアリングを行っていたデータの再生を続けることができる。
【発明を実施するための最良の形態】
【００１５】
以下に、諸図面を参照しながら、本発明の一実施形態による通信端末を詳細に説明する。
【００１６】
（第１の実施形態）
図１は、本発明の一実施形態にかかる通信端末１００の機能ブロック図である。通信端末１００は第三者と携帯電話網（移動体通信網）を利用して通話するための送受信部１（第１通信部）と、ブルートゥース（登録商標）等のように近距離に位置する他の通信端末２００とデータを送受信するための近距離送受信部２（第２通信部）と、通信端末１００のモード変更や電話番号、文字入力に使用するキー入力部３（例えば数字キー／上下キー等）と、アドレス帳のデータ、自端末のプロフィール、音楽や動画像コンテンツデータなどを格納する記憶部４と、音声を入力するマイク５と、通信端末１００の状態・状況などあらゆる文字、絵、画像情報をユーザに知らせる表示部６（例えば液晶ディスプレイ等）と、携帯電話網を介して送受信部１より得られた音声データ、記憶部４に格納されている音楽や音声データ、および近距離送受信部２から得られた音楽や音声をユーザに報知するためのスピーカ７と、記憶部４や近距離送受信部２からの音楽データを再生する音楽再生部８と、携帯電話網を介して送受信部１より得られた音声データ、記憶部４に格納されている音楽や音声データや近距離送受信部２から得られた音楽や音声をユーザにイヤホンを介して報知するためのイヤホン部９と、記憶部４や近距離送受信部２からの動画像データを再生する動画像再生部１０と、これらの制御を統括する制御部５０から構成されている。送受信部１は、例えば、ＣＤＭＡ  ＥＶ―ＤＯ等の携帯電話網の無線信号の送受信（移動体無線通信）に対応した、任意の好適なインターフェース機器から構成され、近距離送受信部２は、ＩＥＥＥ802.11g及びブルートゥース（登録商標）等の近距離無線信号の送受信（近距離無線通信）に対応した、任意の好適なインターフェース機器から構成される。また、音楽再生部８、動画再生部１０及び制御部５０は、例えば、ＣＰＵ（中央処理装置）等の任意の好適なプロセッサで構成されるものであり、音楽再生部８、動画再生部１０及び制御部５０の各機能は、当該プロセッサ上で実行されるソフトウェアや、又は各機能の処理に特化した専用のプロセッサ（例えばＤＳＰ（デジタルシグナルプロセッサ））によって構成することができる。なお、本発明に係る通信端末１００は、音楽再生部８、動画再生部１０及び制御部５０を、それぞれ独立したプロセッサによって構成してもよく、また、音楽再生部８および動画再生部１０を、制御部５０が実行する１つの機能としてソフトウェア的に構成することも可能である。また、記憶部４は、例えば、揮発性メモリ（ＳＲＡＭ等）、不揮発性メモリ（ＥＥＰＲＯＭ等）、又は他の好適な記憶媒体から構成される。
【００１７】
なお、近距離送受信部２は、好ましくは不特定多数の端末に配信しないような登録端末にのみ配信可能な方法が良い。また、端末を登録（認証）すること自体が煩わしいので、近距離送受信部２による通信の可否を、アドレス帳に登録されている端末固有の番号、例えば電話番号やメールアドレス等と関連付けると使い勝手が向上する。
【００１８】
図２は、ユーザＡ（配信側）の通信端末１００からユーザＢ（受信側）の通信端末２００に音楽（コンテンツ）が配信（例えばストリーミング転送）されており、ユーザＡおよびユーザＢがそれぞれの通信端末１００（以下、「配信側通信端末１００」という。）および通信端末２００（以下、「受信側通信端末２００」という。）でコンテンツ（例えば音楽）を同時に楽しんでいる状況において、配信側のユーザＡに対して、発信者Ｃから電話の着信があった場合の処理シーケンスを示す図である。なお、ユーザＡの配信側通信端末１００の構成は上記の通りであり、ユーザＢの受信側通信端末２００は、配信側通信端末１００に相当する構成を有するものである。即ち、受信側通信端末２００は、配信側通信端末１００の送受信部１、近距離送受信部２、キー入力部３、記憶部４、マイク５、表示部６、スピーカ７、音楽再生部８、イヤホン部９、動画再生部１０および制御部５０とに相当する、送受信部２０１、近距離送受信部２０２、キー入力部２０３、記憶部２０４、マイク２０５、表示部２０６、スピーカ２０７、音楽再生部２０８、イヤホン部２０９、動画再生部２１０および制御部２５０を備えている。
【００１９】
ユーザＡは、例えば表示部６に表示された音楽リスト等を参照しながら、キー入力部３を通じて、記憶部４に予め格納しておいた音楽データの再生操作を行う。制御部５０は、キー入力部３を通じてユーザの指示を取得すると、音楽再生部８に信号を送り、ユーザが指定する音楽データの再生処理を行わせる。音楽再生部８は、記憶部４からユーザが指定する音楽データを取得して再生処理を行い、当該再生処理結果（音楽の内容）を、スピーカ７又はイヤホン部９を通じてユーザＡに報知する。通常、イヤホンがイヤホン部９に挿入されている場合には、音楽の報知はイヤホン部９を通じて行われ、イヤホンがイヤホン部９に挿入されていない場合には、音楽の報知はスピーカ７を通じて行われる。
【００２０】
ユーザＢがユーザＡに近づき、ユーザＡに対して口頭で音楽データのシェアリング許可を求めると、ユーザＡは、自身の配信側通信端末１００が、自端末で再生中の音楽を受信側通信端末２００に対して配信するように、キー入力部３を通じてコンテンツシェアリングのための操作を行う。かかるキー入力部３の入力指示に従い、制御部５０は、近距離送受信部２を起動させて、配信側通信端末１００を、受信側通信端末２００からの信号を待ち受ける状態にする制御を行う。
【００２１】
受信側のユーザＢは、自身の受信側通信端末２００のキー入力部２０３を操作し、制御部２５０によって近距離送受信部２０２を起動させる。近距離送受信部２０２は、周囲に同じ近距離送受信方式に対応した通信端末が存在するかスキャンし、制御部２５０は、検出された通信端末の一覧を表示部２０６に表示させる。ユーザＢが、キー入力部２０３により表示部２０６上の一覧から配信側通信端末１００を選択すると、制御部２５０は、近距離送受信部２０２を通じて、記憶部２０４に記憶された自端末に関するプロファイルデータ（例えば、自端末の電話番号、メールアドレス、端末所持者の氏名など）の一部をパスキー（例えばＰＩＮコード）として配信側通信端末１００に送信する。なお、近距離送受信部２０２によって検出された通信端末が１台しか存在しないときは、制御部２５０は、ユーザＢによる配信側通信端末１００の選択を待つことなく、配信側通信端末１００にパスキーを送信することもできる。
【００２２】
配信側通信端末１００において、制御部５０は、近距離送受信部２を通じて受信側通信端末２００からのパスキーを取得し、当該パスキーから、ユーザＢが、記憶部４に記憶されている所定のデータ（例えばアドレス帳など、ユーザＡが事前に保持しているユーザＢの情報）に登録済みのユーザであるかを判定する。判定の結果、例えばアドレス帳に登録済みのユーザであることが確認できると、制御部５０は、ユーザＡが視聴している音楽データをユーザＢも視聴できるようにするため、近距離送受信部２を通じて、受信側通信端末２００への当該音楽データの配信を開始する。
【００２３】
なお、配信側通信端末１００が受信側通信端末２００に音楽データの配信を行っている間に、受信側通信端末２００から配信側通信端末１００に対して定期的に信号を送信することで、配信側通信端末１００は、受信側通信端末２００に正しく配信がおこなわれていることを確認することが出来る。配信側通信端末１００が受信側通信端末２００からの信号を一定時間以上受信できない場合には、制御部５０は音楽データの配信を中止すると共に、近距離送受信部２の動作を停止させ、無駄な電力消費を防ぐことが出来る。
【００２４】
配信側通信端末１００が受信側通信端末２００に音楽データの配信を行っている間に、発信者ＣがユーザＡに対して携帯電話網を利用して発呼してくると、配信側通信端末１００は、当該電話呼の着信処理を行う。まず、送受信部１が発信者Ｃからの呼び出しの信号を受信すると、制御部５０は、記憶部４に記憶された着信音（着信音楽）をスピーカ７、イヤホン９又は図示していない報知装置（振動装置や照明装置など）により報知すると共に、必要に応じて、呼び出し信号から発信者Ｃの情報を抽出し、表示部６に発信者Ｃの電話番号を表示させたり、記憶部４に記憶されたアドレス帳に発信者Ｃが登録されている場合には、発信者Ｃの名前などを表示部６に表示させる。ユーザＡは、スピーカ７又はイヤホン９等により着信の報知が行われると、キー入力部３を操作して、発信者Ｃとの通話を開始する。このとき、制御部５０は、送受信部１を通じて着呼信号を発信者Ｃの通信端末（図示せず）に送ると共に、音楽再生部８の機能を停止させ、スピーカ７又はイヤホン９からの音楽報知を停止する。一方、制御部５０は、受信側通信端末２００に対しては、近距離送受信部２を通じた音楽配信を継続する。そのため、ユーザＢはユーザＡに着呼があったことを感じる事はない。このとき、制御部５０は、音声データのどのタイミング（再生時間）まで音楽データを再生したかという情報（以降、「配信側再生時間」という。）を記憶部４に記憶しておくと、通話終了後、音楽データ再生を再開した際に、再生中止前との連続性を考慮して音楽データの再生を行うことが可能になる。なお、設定によっては、制御部５０は、受信側通信端末２００に対して、ユーザＡが着呼した旨を示す信号を通知することも可能である。着信処理が完了すると、ユーザＡは、マイク５およびスピーカ７又はイヤホン９を使用し、発信者Ｃと通話することができる。なお、当然ながら、この会話はユーザＢへ、近距離通信によって漏洩する事はない。
【００２５】
ユーザＡと発信者Ｃとの通話が終了すると、制御部５０は、キー入力部３からユーザＡの終話操作を取得し、音楽再生部８を起動して、ユーザＢへ継続配信している音楽データの再生処理を再開させる。なお、ユーザＡが発信者Ｃ通話している間に、ユーザＢに継続配信している音楽データの再生が終了した場合には、制御部５０は、設定に応じて、受信側通信端末２００に対し、引き続き同じ音楽データを連続配信したり、記憶部４に記憶されている他の音楽データの中からランダムに選択した音楽データを配信したりすることができる。
【００２６】
図３は、ユーザＡが発信者Ｃと通話しており、且つ、配信側通信端末１００が受信側通信端末２００に音楽データを配信している状況で、受信側のユーザＢに対して、発信者Ｄから電話の着信があった場合の処理シーケンスを示す図である。
【００２７】
発信者ＤがユーザＢに対して携帯電話網を利用して発呼してくると、受信側通信端末２００は、電話呼の着信処理を行う。まず、送受信部２０１が発信者Ｄからの呼び出しの信号を受信すると、制御部２５０は、記憶部２０４に記憶された着信音（着信音楽）をスピーカ２０７、イヤホン２０９又は図示していない報知装置（振動装置や照明装置など）により報知すると共に、必要に応じて、呼び出し信号から発信者Ｄの情報を抽出し、表示部２０６に発信者Ｄの電話番号を表示させたり、記憶部２０４に記憶されたアドレス帳に発信者Ｄが登録されている場合には、発信者Ｄの名前などを表示部２０６に表示させる。ユーザＣは、スピーカ２０７又はイヤホン２０９等により着信の報知が行われると、キー入力部２０３を操作して、発信者Ｄとの通話を開始する。このとき、制御部２５０は、送受信部２０１を通じて着呼信号を発信者Ｄの通信端末（図示せず）に送ると共に、音楽再生部２０８の機能を停止させ、スピーカ２０７又はイヤホン２０９からの音楽報知を停止する。一方、制御部２５０は、配信側通信端末１００に対しては、配信側通信端末１００による音楽配信を一時停止させるため、自端末（受信側通信端末２００）が通話状態であることを示す通話状態信号を送信する。制御部２５０は、当該通話状態信号に、音声データのどのタイミング（再生時間）まで音楽データを再生したかという情報（以降、「受信側再生時間」という。）を含めて送信してもよい。また、制御部２５０は、当該受信側再生時間を記憶部２０４に記憶しておくこともできる。配信側通信端末１００では、近距離送受信部２が受信側通信端末２００から通話状態信号を受信すると、制御部５０は、受信側通信端末２００への音楽配信を停止する。当該通話状態信号に受信側再生時間が含まれている場合には、配信側通信端末１００は、当該通話状態信号に含まれる受信側再生時間を取得して記憶部４に記憶し、受信側再生時間が含まれていない場合でも、通話状態信号を受信したタイミングを基に受信側再生時間を取得して、記憶部４に記憶することが出来る。なお、受信側通信端末２００において着信処理が完了すると、ユーザＢは、マイク２０５およびスピーカ２０７又はイヤホン２０９を使用し、発信者Ｄと通話することができる。当然ながら、この会話はユーザＢへ、近距離通信によって漏洩する事はない。
【００２８】
ユーザＢと発信者Ｄとの通話が終了すると、制御部２５０は、キー入力部２０３からユーザＢの終話操作を取得し、配信側通信端末１００に対して、音楽配信の再開を促すため、自端末（受信側通信端末２００）が通話終了したことを示す通話終了信号を送信する。配信側通信端末１００では、近距離送受信部２がユーザＢから通話終了信号を受信すると、制御部５０は、受信側再生時間又は配信側再生時間に基づき、受信側通信端末２００への音楽配信を再開する。受信側通信端末２００の制御部２５０は、音楽再生部２０８を起動して、ユーザＡから配信が再開された音楽データの再生処理を再開させる。当該再生処理結果（音楽の内容）は、スピーカ２０７又はイヤホン部２０９を通じてユーザＢに報知される。
【００２９】
これ以降、ユーザＡ（配信側）がユーザＢ（受信側）にコンテンツを配信している状況において、ユーザＡ及びユーザＢそれぞれに着信があった場合の、コンテンツの再生態様を５つのケースに分けて説明する。ケース１乃至３は、ユーザＢに対するコンテンツの連続性を優先した受信側優先の再生態様である。一般に、配信側のユーザＡは、受信側のユーザＢに比べコンテンツを視聴できる機会が多いと考えられるため、受信側優先の再生態様が好ましい。一方、ケース４および５はユーザＡに対するコンテンツの連続性を優先した配信側優先の再生態様である。なお、配信側通信端末１００及び受信側通信端末２００における各動作の詳細は上記の通りであり、以降の説明では、各動作を簡略に記載するものとする。
【００３０】
図４は、ユーザＡが通話中にユーザＢにも着信があり、ユーザＢが先に終話した場合の処理を示す図である。
【００３１】
（ケース１）
配信側通信端末１００が受信側通信端末２００に音楽データを配信中、音楽データの再生が４分まで進んだ時点（配信側再生時間：４分）で、ユーザＡに対して第三者から着信があった。配信側通信端末１００は音楽再生を停止して通話処理を行うと共に、配信側通信端末１００は受信側通信端末２００への音楽データ配信を継続する。ユーザＢに対する音楽データの再生が５分まで進んだ時点（受信側再生時間：５分）で、ユーザＢに対して第三者から着信があると、受信側通信端末２００は、配信側通信端末１００に対して通話状態信号を送信する。配信側通信端末１００は、受信側通信端末２００からの通話状態信号を取得して音楽データの配信を停止すると共に、ユーザＢの受信側再生時間（５分）を記憶部４に記憶させる。この場合、近距離送受信部２及び２０２は、配信側通信端末１００と受信側通信端末２００との間の近距離無線通信のリンクを継続又は解除することができ、リンクを継続する場合には、消費電力量は増加するが再接続時の処理遅延が少なく、一方、リンクを一度解除する場合には、消費電力の削減に貢献するが、再接続に時間がかかることになる。ユーザＡとユーザＢが共に通話をしている状態から、ユーザＢの通話がユーザＡより先に終了すると、受信側通信端末２００は、配信側通信端末１００に対して通話終了信号を送信する。配信側通信端末１００は、受信側通信端末２００からの通話終了信号を取得すると、記憶部４に記憶されたユーザＢの受信側再生時間（５分）が示す位置から、受信側通信端末２００への音楽データの配信を再開する。これにより、ユーザＢは、自身の通話終了後に、通話終了前の状態から継続して音楽再生を楽しむことができる。ユーザＢに対する音楽データの再生が６分まで進んだ時点で、ユーザＡの通話が終了すると、配信側通信端末１００の音楽再生部８は、ユーザＢに対する再生時間に合わせ、６分目以降の音楽データの再生を再開する。これにより、ユーザＡはユーザＢと共に、６分目以降の音楽データを楽しむことが出来る。この場合、ユーザＡの配信側再生時間が４分であり、通話終了後の音楽再生時間が６分であるため、ユーザＡにおいては、音楽再生の連続性が途切れることになるが、ユーザＢについては、音楽再生の連続性が維持される。この場合、例えば、配信側通信端末１００において、音楽再生部８は、６分目以降の音楽データから通常の再生を行うほかに、４分目以降の音楽データの再生速度を速めながら再生させ、ユーザＢに対する再生位置に追いつくように再生させることができる。再生速度の早め方は、一定時間後に通常再生できるように速度を可変させる方法と再生速度を倍速等に固定しユーザＢとの同時再生までの時間を可変させる方法が考えられる。また、曲と曲の間にある無音部（ブランキング区間）を検出し、無音部が２ヶ所あれば１曲抜くことで同時再生までの再生速度コントロールの時間を短縮させることも出来る。
【００３２】
図５および図６は、ユーザＡが通話中にユーザＢにも着信があり、ユーザＡが先に終話した場合の処理を示す図である。
【００３３】
（ケース２）
配信側通信端末１００が受信側通信端末２００に音楽データを配信中、音楽データの再生が３分まで進んだ時点（配信側再生時間：３分）で、ユーザＡに対して第三者から着信があった。配信側通信端末は音楽生成を停止して通話処理を行うと共に、配信側通信端末１００は受信側通信端末２００への音楽データ配信を継続する。ユーザＢに対する音楽データの再生が５分まで進んだ時点（受信側再生時間：５分）で、ユーザＢに対して第三者から着信があると、受信側通信端末２００は、配信側通信端末１００に対して通話状態信号を送信する。配信側通信端末１００は、受信側通信端末２００からの通話状態信号を取得して音楽データの配信を停止すると共に、ユーザＢの受信側再生時間（５分）を記憶部４に記憶させる。ユーザＡとユーザＢが共に通話をしている状態から、ユーザＡの通話がユーザＢより先に終了すると、配信側通信端末１００は、自端末の配信側再生時間（３分）から音楽の再生を再生する。その後、ユーザＡに対する音楽データの再生が４分まで進んだ時点で、ユーザＢの通話が終了すると、受信側通信端末２００は、配信側通信端末１００に対して通話終了信号を送信する。配信側通信端末１００は、受信側通信端末２００からの通話終了信号を取得すると、記憶部４に記憶されたユーザＢの受信側再生時間（５分）が示す位置から、受信側通信端末２００への音楽データの配信を再開する。これにより、ユーザＢは、自身の通話終了後に、通話終了前の状態から継続して音楽再生を楽しむことができる。このとき、配信側通信端末１００は、自端末における再生時間を、ユーザＢの受信側再生時間（５分）に合わせる。これにより、ユーザＡはユーザＢと共に、５分目以降の音楽データを楽しむことが出来る。この場合、ユーザＢが通話を終了した時点のユーザＡの音楽再生時間は４分であり、ユーザＢの通話終了後に音楽再生時間が５分の位置に移動するため、ユーザＡにおいては、音楽再生の連続性が途切れることになるが、ユーザＢについては、音楽再生の連続性が維持される。このとき、配信側通信端末１００において、音楽再生部８は、４分目から５分目にジャンプして同時再生させるか、再生速度を高速にコントロールさせることで同時再生させることが出来る。なお、ジャンプ又は再生速度を高速にコントロールする場合は、ユーザＡにジャンプを報知することが望ましい。
【００３４】
（ケース３）
配信側通信端末１００が受信側通信端末２００に音楽データを配信中、音楽データの再生が３分まで進んだ時点で（配信側再生時間：３分）、ユーザＡに対して第三者から着信があった。配信側通信端末１００は音楽再生を停止して通話処理を行うと共に、配信側通信端末１００は受信側通信端末２００への音楽データ配信を継続する。ユーザＢに対する音楽データの再生が４分まで進んだ時点（受信側再生時間：４分）で、ユーザＢに対して第三者から着信があると、受信側通信端末２００は、配信側通信端末１００に対して通話状態信号を送信する。配信側通信端末１００は、受信側通信端末２００からの通話状態信号を取得して音楽データの配信を停止すると共に、ユーザＢの受信側再生時間（４分）を記憶部４に記憶させる。ユーザＡとユーザＢが共に通話をしている状態から、ユーザＡの通話がユーザＢより先に終了すると、配信側通信端末１００は、自端末の配信側再生時間（３分）から音楽の再生を再生する。その後、ユーザＡに対する音楽データの再生が６分まで進んだ時点で、ユーザＢの通話が終了すると、受信側通信端末２００は、配信側通信端末１００に対して通話終了信号を送信する。配信側通信端末１００は、受信側通信端末２００からの通話終了信号を取得すると、記憶部４に記憶されたユーザＢの受信側再生時間（４分）が示す位置から、受信側通信端末２００への音楽データの配信を再開する。これにより、ユーザＢは、自身の通話終了後に、通話終了前の状態から継続して音楽再生を楽しむことができる。このとき、配信側通信端末１００は、自端末における再生時間を、ユーザＢの受信側再生時間（４分）に合わせる。これにより、ユーザＡはユーザＢと共に、４分目以降の音楽データを楽しむことが出来る。この場合、ユーザＢが通話を終了した時点のユーザＡの音楽再生時間は６分であり、ユーザＢの通話終了後に音楽再生時間が４分の位置に移動するため、ユーザＡにおいては、音楽再生の連続性が途切れることになるが、ユーザＢについては、音楽再生の連続性が維持される。このとき、配信側通信端末１００において、音楽再生部８は、６分目か４分目にジャンプして同時再生させるか、再生速度を低速にコントロールさせることで同時再生させることが出来る。なお、ジャンプ又は再生速度を低速にコントロールする場合は、ユーザＡにジャンプを報知することが望ましい。
【００３５】
このように、ケース１乃至３に示す実施形態によれば、ユーザＡ（配信側）がユーザＢ（受信側）にコンテンツを配信している状況において、ユーザＡ及びユーザＢそれぞれに着信があった場合でも、配信側通信端末１００は、自端末におけるコンテンツ再生を停止すると共に、該コンテンツ再生の停止に依存することなく、受信側通信端末２００へのコンテンツ配信を継続するように制御するため、配信側通信端末１００の通信処理によらず、受信側通信端末１００はコンテンツの視聴を継続することができる。また、配信側通信端末１００は、受信側通信端末２００から受信側通信端末２００が通話状態であることを示す通話状態信号を受信した場合、受信側通信端末２００へのコンテンツの配信を停止するため、受信側通信端末２００がコンテンツ視聴をできない場合の、不要なコンテンツ転送を防ぐことができる。また、配信側通信端末１００は、前記通話状態信号により、受信側通信端末２００におけるコンテンツの再生時間を示す他端末再生時間を取得し、受信側通信端末２００から受信側通信端末２００の通話終了を示す通話終了信号を受信した場合、受信側通信端末２００に対し、他端末再生時間に基づきコンテンツ配信を再開するため、受信側通信端末２００は、通話前と通話後とでコンテンツ再生の連続性を維持することができる。
【００３６】
また、受信側通信端末２００は、着信があった場合、配信側通信端末１００にコンテンツ配信を停止させる通話状態信号を送信するため、受信側通信端末２００がコンテンツ視聴をできない場合の、不要なコンテンツ転送を防ぐことができる。また、受信側通信端末２００は、当該通話状態信号に自端末における前記コンテンツの再生時間の情報を含めることにより、配信側通信端末１００に、自端末におけるコンテンツの再生状況を指示することができる。
【００３７】
図７は、ユーザＡが通話中にユーザＢにも着信があり、ユーザＢが先に終話した場合の処理を示す図である。
【００３８】
（ケース４）
配信側通信端末１００が受信側通信端末２００に音楽データを配信中、音楽データの再生が４分まで進んだ時点（配信側再生時間：４分）で、ユーザＡに対して第三者から着信があった。配信側通信端末１００は音楽再生を停止して通話処理を行うと共に、配信側通信端末１００は受信側通信端末２００への音楽データ配信を継続する。ユーザＢに対する音楽データの再生が５分まで進んだ時点（受信側再生時間：５分）で、ユーザＢに対して第三者から着信があると、受信側通信端末２００は、配信側通信端末１００に対して通話状態信号を送信する。配信側通信端末１００は、受信側通信端末２００からの通話状態信号を取得して音楽データの配信を停止すると共に、ユーザＢの受信側再生時間（５分）を記憶部４に記憶させる。ユーザＡとユーザＢが共に通話をしている状態から、ユーザＢの通話がユーザＡより先に終了すると、受信側通信端末２００は、配信側通信端末１００に対して通話終了信号を送信する。配信側通信端末１００は、受信側通信端末２００からの通話終了信号を取得すると、記憶部４に記憶されたユーザＢの受信側再生時間（５分）が示す位置から、受信側通信端末２００への音楽データの配信を再開する。これにより、ユーザＢは、自身の通話終了後に、通話終了前の状態から継続して音楽再生を楽しむことができる。ユーザＢに対する音楽データの再生が６分まで進んだ時点で、ユーザＡの通話が終了すると、配信側通信端末１００の音楽再生部８は、自端末の再生時間である配信側再生時間（４分）以降の音楽データの再生を再開する。このとき、配信側通信端末１００は、受信側通信端末２００に対しても、配信側再生時間（４分）以降の音楽データを配信する。これにより、ユーザＡは、ユーザＢと共に、４分目以降の音楽データを楽しむことが出来る。この場合、ユーザＡが通話を開始した時点では、ユーザＢの音楽再生時間は６分であり、ユーザＡの通話終了後の音楽再生時間が４分であるため、ユーザＢにおいては、音楽再生の連続性が途切れることになるが、ユーザＡについては、音楽再生の連続性が維持される。このとき、受信側通信端末２００において、音楽再生部２０８は、６分目か４分目にジャンプして同時再生させるか、再生速度を低速にコントロールさせることで同時再生させることが出来る。なお、ジャンプ又は再生速度を低速にコントロールする場合は、ユーザＢにジャンプを報知することが望ましい。例えば、静止画像などを順番に表示させるスライドショーのような使い方の場合が想定される。
【００３９】
図８は、ユーザＡが通話中にユーザＢにも着信があり、ユーザＡが先に終話した場合の処理を示す図である。
【００４０】
（ケース５）
配信側通信端末１００が受信側通信端末２００に音楽データを配信中、音楽データの再生が３分まで進んだ時点（配信側再生時間：３分）で、ユーザＡに対して第三者から着信があった。配信側通信端末１００は音楽再生を停止して通話処理を行うと共に、配信側通信端末１００は受信側通信端末２００への音楽データ配信を継続する。ユーザＢに対する音楽データの再生が５分まで進んだ時点（受信側再生時間：５分）で、ユーザＢに対して第三者から着信があると、受信側通信端末２００は、配信側通信端末１００に対して通話状態信号を送信する。配信側通信端末１００は、受信側通信端末２００からの通話状態信号を取得して音楽データの配信を停止すると共に、ユーザＢの受信側再生時間（５分）を記憶部４に記憶させる。ユーザＡとユーザＢが共に通話をしている状態から、ユーザＡの通話がユーザＢより先に終了すると、配信側通信端末１００は、自端末の再生時間である配信側再生時間（３分）から音楽の再生を再生する。その後、ユーザＡに対する音楽データの再生が４分まで進んだ時点で、ユーザＢの通話が終了すると、受信側通信端末２００は、配信側通信端末１００に対して通話終了信号を送信する。配信側通信端末１００は、受信側通信端末２００からの通話終了信号を取得すると、自端末における再生時間（４分）から、受信側通信端末２００への音楽データの配信を再開する。これにより、ユーザＡはユーザＢと共に、４分目以降の音楽データを楽しむことが出来る。この場合、ユーザＢが通話を終了した時点の音楽再生時間は５分であり、通話終了後に音楽再生時間が４分の位置に移動するため、ユーザＢにおいては、音楽再生の連続性が途切れることになるが、ユーザＡについては、音楽再生の連続性が維持される。このとき、受信側通信端末２００において、音楽再生部２０８は、５分目か４分目にジャンプして同時再生させるか、再生速度を低速にコントロールさせることで同時再生させることが出来る。なお、ジャンプ又は再生速度を低速にコントロールする場合は、ユーザＢにジャンプを報知することが望ましい。
【００４１】
このように、ケース４およびケース５に示す実施形態によれば、ユーザＡ（配信側）がユーザＢ（受信側）にコンテンツを配信している状況において、ユーザＡ及びユーザＢそれぞれに着信があった場合でも、配信側通信端末１００は、着呼に応じてコンテンツの再生を停止する場合、自端末における前記データの再生時間を示す自端末再生時間を記憶し、通話終了時に、当該自端末再生時間に基づきコンテンツの再生を再開すると共に、自端末再生時間に基づきコンテンツを受信側通信端末２００に配信するため、配信側通信端末１００は、通話前と通話後とでコンテンツ再生の連続性を維持することができる。
【００４２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成要素は論理的に矛盾しないように再配置可能であり、複数の構成要素を１つに組み合わせたり、或いは分割したりすることが可能である。
【００４３】
本実施例では音楽配信を前提に説明しているが、動画像、静止画像でも連続的に（順番）に楽しむシステムであれば、同様の効果が得られることが判る。なお、受信側の通信端末は、コンテンツの同期再生終了後に、配信されたコンテンツを消去することにより、記憶容量の増大を防止することができる。
【図面の簡単な説明】
【００４４】
【図１】本発明の一実施形態に係る通信端末を示す図である。
【図２】本発明の一実施形態に係る動作シーケンスを示す図である。
【図３】本発明の一実施形態に係る動作シーケンスを示す図である。
【図４】本発明の一実施形態に係る同期再生態様を示す図である。
【図５】本発明の一実施形態に係る同期再生態様を示す図である。
【図６】本発明の一実施形態に係る同期再生態様を示す図である。
【図７】本発明の一実施形態に係る同期再生態様を示す図である。
【図８】本発明の一実施形態に係る同期再生態様を示す図である。
【図９】１人のユーザが１つの通信端末のコンテンツを視聴する様子を示す図である。
【図１０】２人のユーザが１つの通信端末のコンテンツを視聴する様子を示す図である。
【図１１】２人のユーザが各自の通信端末にてコンテンツを視聴する様子を示す図である。
【符号の説明】
【００４５】
１  送受信部
２  近距離送受信部
３  キー入力部
４  記憶部
５  マイク
６  表示部
７  スピーカ
８  音楽再生部
９  イヤホン部
１０  動画像再生部
５０  制御部
１００  通信端末
【図１】
2010109620.tif 000003
【図２】
2010109620.tif 000004
【図３】
2010109620.tif 000005
【図４】
2010109620.tif 000006
【図５】
2010109620.tif 000007
【図６】
2010109620.tif 000008
【図７】
2010109620.tif 000009
【図８】
2010109620.tif 000010
【図９】
2010109620.tif 000011
【図１０】
2010109620.tif 000012
【図１１】
2010109620.tif 000013